(57)【要約】【課題】光ビームを筐体の内部から外部に向けて透過させる透過部材が、筐体の下面に取り付けられている構成において、透過部材が大型化するのを抑制した上で、透過部材の表面を清掃することができる露光装置、及び画像形成装置を得る。【解決手段】清掃部１５６を装置奥行方向の奥側に移動させると、清掃部１５６は、傾斜部１３０に案内され、進行方向を装置幅方向に変えながら装置奥行方向の奥側に移動する。これにより、透過ガラス１１２が筐体１１０の下面１１０Ａに取り付けられ、押付部１７２Ａが、透過ガラス１１２の表面１１２Ａの一部を覆っている際にも、進行方向を装置幅方向に変えながら清掃部１５６を装置奥行方向に移動させることで、透過ガラス１１２が透過ガラス１１２の幅方向に大型化するのを抑制した上で、透過ガラス１１２の表面が清掃される。【選択図】図１
2015022019.tif 000002
【特許請求の範囲】
【請求項１】
筐体の内部に配置され、前記筐体の下方に配置された像保持体に向けて光を出射する光源と、
前記筐体の下面に一方向に延びて取り付けられ、前記光源から出射されて前記像保持体に向かう光を透過させる透過部材と、
前記透過部材の一方向の一側で少なくとも前記透過部材の表面の一部を覆って、前記透過部材の一方向の一側を前記筐体に固定する一側固定部材と、
前記透過部材の表面に接触して前記透過部材の表面を清掃する清掃部材を前記一側固定部材と接触しないように進行方向を前記透過部材の幅方向に変えながら前記一方向の一側から前記一方向の他側へ案内し、前記清掃部材に前記透過部材の表面を清掃させる案内部材と、
を備える露光装置。
【請求項２】
前記一側固定部材は、基端部が前記筐体に固定され、先端部で前記透過部材の表面の一部を覆って前記透過部材を前記筐体に押し付ける板ばねである請求項１に記載の露光装置。
【請求項３】
像保持体と、
前記像保持体に向けて光を出射する請求項１又は２に記載の露光装置と、
前記露光装置から出射された光により前記像保持体に形成された静電潜像をトナー画像として現像する現像装置と、
前記露光装置を支持すると共に、前記露光装置の透過部材を清掃する清掃部材で前記透過部材の表面を清掃する際に、前記清掃部材を前記透過部材の表面に押し付ける押付面が形成される支持部材と、
を備える画像形成装置。
【発明の詳細な説明】
【技術分野】
【０００１】
本発明は、露光装置、及びこの露光装置を備えた画像形成装置に関する。
【背景技術】
【０００２】
特許文献１に記載の露光装置の天井面には、光を透過する材質で成形された透光板が配置されている。そして、透光板と接触して移動しながら透光板を清掃する清掃具の左右の移動を制限する右側面板と左側面板とが露光装置に設けられている。
【先行技術文献】
【特許文献】
【０００３】
【特許文献１】特開２０１１−１０７２０４号公報
【発明の概要】
【発明が解決しようとする課題】
【０００４】
本発明の課題は、光ビームを筐体の内部から外部に向けて透過させる透過部材が、筐体の下面に取り付けられている構成において、透過部材が大型化するのを抑制した上で、透過部材の表面を清掃することである。
【課題を解決するための手段】
【０００５】
本発明の請求項１に係る露光装置は、筐体の内部に配置され、前記筐体の下方に配置された像保持体に向けて光を出射する光源と、前記筐体の下面に一方向に延びて取り付けられ、前記光源から出射されて前記像保持体に向かう光を透過させる透過部材と、前記透過部材の一方向の一側で少なくとも前記透過部材の表面の一部を覆って、前記透過部材の一方向の一側を前記筐体に固定する一側固定部材と、前記透過部材の表面に接触して前記透過部材の表面を清掃する清掃部材を前記一側固定部材と接触しないように進行方向を前記透過部材の幅方向に変えながら前記一方向の一側から前記一方向の他側へ案内し、前記清掃部材に前記透過部材の表面を清掃させる案内部材と、を備えることを特徴とする。
【０００６】
本発明の請求項２に係る露光装置は、請求項１に記載の露光装置において、前記一側固定部材は、基端部が前記筐体に固定され、先端部で前記透過部材の表面の一部を覆って前記透過部材を前記筐体に押し付ける板ばねであることを特徴とする。
【０００７】
本発明の請求項３に係る画像形成装置は、像保持体と、前記像保持体に向けて光を出射する請求項１又は２に記載の露光装置と、前記露光装置から出射された光により前記像保持体に形成された静電潜像をトナー画像として現像する現像装置と、前記露光装置を支持すると共に、前記露光装置の透過部材を清掃する清掃部材で前記透過部材の表面を清掃する際に、前記清掃部材を前記透過部材の表面に押し付ける押付面が形成される支持部材と、を備えることを特徴とする。
【発明の効果】
【０００８】
本発明の請求項１の露光装置によれば、案内部材が、清掃部材を直線的に案内する場合と比して、光ビームを筐体の内部から外部に向けて透過させる透過部材が、筐体の下面に取り付けられている構成において、透過部材が大型化するのを抑制した上で、透過部材の表面を清掃することができる。
【０００９】
本発明の請求項２の露光装置によれば、一側固定部材が接着剤である場合と比して、透過部材を筐体に押し付けることができる。
【００１０】
本発明の請求項３の画像形成装置によれば、清掃部材を透過部材の表面に押し付ける押付面が支持部材に形成されていない場合と比して、透過部材の表面を効果的に清掃することができる。
【図面の簡単な説明】
【００１１】
【図１】本発明の第１実施形態に係る露光ユニットにおける筐体の下面を示した底面図である。
【図２】本発明の第１実施形態に係る露光ユニットにおける筐体の下面を示した拡大底面図である。
【図３】本発明の第１実施形態に係る露光ユニットにおける筐体の下面を示した拡大底面図である。
【図４】本発明の第１実施形態に係る露光ユニットにおける筐体の下面を示した拡大底面図である。
【図５】本発明の第１実施形態に係る露光ユニットにおける筐体の下面を示した拡大底面図である。
【図６】本発明の第１実施形態に係る露光ユニットにおける筐体の下面を示した拡大底面図である。
【図７】本発明の第１実施形態に係る露光ユニットにおける筐体の下面を示した拡大底面図である。
【図８】（Ａ）（Ｂ）本発明の第１実施形態に係る露光ユニットにおける筐体の下面の一部を示した分解斜視図及び拡大斜視図である。
【図９】本発明の第１実施形態に係る露光ユニットにおける筐体の下面の一部を示した拡大断面図である。
【図１０】本発明の第１実施形態に係る露光ユニットにおける筐体の下面を示した斜視図である。
【図１１】（Ａ）（Ｂ）本発明の第１実施形態に係る露光ユニット及び支持フレームを示した斜視図である。
【図１２】本発明の第１実施形態に係る露光ユニットの透過ガラスを清掃するのに用いる清掃部材を示した斜視図である。
【図１３】本発明の第１実施形態に係る画像形成装置の画像形成ユニットを示した構成図である。
【図１４】本発明の第１実施形態に係る画像形成装置を示した構成図である
【図１５】（Ａ）（Ｂ）（Ｃ）本発明の第２実施形態に係る露光ユニットにおける筐体の下面の一部を示した斜視図及び断面図である。
【発明を実施するための形態】
【００１２】
＜第１実施形態＞
本発明の第１実施形態に係る露光装置、及び画像形成装置の一例を図１〜図１４に従って説明する。なお、画像形成装置を正面視して、各図に示す矢印Ｘ方向は、装置幅方向（水平方向）に相当し、矢印Ｙ方向は、鉛直方向に相当し、矢印Ｚ方向は装置奥行方向に相当する。
【００１３】
（全体構成）
図１４に示されるように、画像形成装置１０は、鉛直方向の下側から上側へ向けて、記録媒体の一例としてのシート部材Ｐが収容される用紙収容部１２と、用紙収容部１２の上側に設けられ用紙収容部１２から供給されるシート部材Ｐに画像形成を行う主動作部１４と、主動作部１４の上側に設けられ原稿（図示省略）を読み取る原稿読取部１６と、各部へシート部材Ｐを搬送する搬送部１８と、主動作部１４内に設けられ画像形成装置１０の各部の動作を制御する主制御部２０と、を含んで構成されている。そして、画像形成装置１０は、複数のフレーム部材で構成された筐体としての装置本体１０Ａを備えている。
【００１４】
〔用紙収容部〕
用紙収容部１２は、サイズの異なるシート部材Ｐを収容可能な第１収容部２２、第２収容部２４、第３収容部２６、及び第４収容部２８を備えている。第１収容部２２、第２収容部２４、第３収容部２６、及び第４収容部２８は、収容されたシート部材Ｐを一枚ずつ送り出す送り出しロール３２と、送り出されたシート部材Ｐを画像形成装置１０内に設けられた搬送経路３０に搬送する搬送ロール３４と、を備えている。
【００１５】
〔搬送部〕
搬送部１８は、搬送ロール３４に対してシート部材Ｐの搬送方向（以下単に「シート搬送方向」と記載する）の下流側に配置され、シート部材Ｐを一枚ずつ搬送する複数の搬送ロール３６を備えている。さらに、シート搬送方向で搬送ロール３６に対して下流側には、シート部材Ｐを一端停止させると共に、決められたタイミングで後述する二次転写位置へシート部材Ｐを送り出すことで画像転写の位置合せを行う位置合せロール３８が配置されている。
【００１６】
シート搬送方向において搬送経路３０の上流側部分は、画像形成装置１０の正面視において、用紙収容部１２の装置幅方向の図中左側から主動作部１４の装置幅方向の図中左側まで鉛直方向に延びる直線状とされている。また、搬送経路３０の下流側部分は、主動作部１４の装置幅方向の図中左側から主動作部１４の装置幅方向の図中右側に設けられた排紙部１３まで延びている。
【００１７】
さらに、搬送経路３０には、シート部材Ｐの両面に画像形成を行うためにシート部材Ｐが搬送及び反転される両面搬送路３１が接続されている。なお、両面搬送を行わないときのシート部材Ｐの搬送方向は、矢印Ａで示されている。
【００１８】
両面搬送路３１は、画像形成装置１０の正面視において、主動作部１４の装置幅方向の図中右側下部から用紙収容部１２の装置幅方向の図中右側まで鉛直方向に直線状に設けられた反転部３３と、反転部３３に搬送されたシート部材Ｐの後端が進入するとともに図示の装置幅方向（矢印Ｂで示す）にシート部材Ｐを搬送する搬送部３５とを備えている。そして、搬送部３５の下流側端部は、搬送経路３０の位置合せロール３８よりも上流側に案内部材（図示省略）により接続されている。なお、図１４において、搬送経路３０と両面搬送路３１との切り替えを行う切替部材、及び反転部３３と搬送部３５との切り替えを行う切替部材については図示を省略する。
【００１９】
〔原稿読取部〕
原稿読取部１６は、複数の原稿（図示省略）を置くことが可能な原稿置台４１と、一枚の原稿が載せられるプラテンガラス４２と、プラテンガラス４２に載せられた原稿を読み取る原稿読取装置４４と、読み取られた原稿が排出される原稿排出部４３と、を備えている。
【００２０】
原稿読取装置４４は、プラテンガラス４２に載せられた原稿に光を照射する光照射部４６と、光照射部４６によって照射され原稿から反射された反射光をプラテンガラス４２と平行な方向に反射させて折り返す１個のフルレートミラー４８及び２個のハーフレートミラー５２と、フルレートミラー４８及びハーフレートミラー５２によって折り返された反射光が入射する結像レンズ５４と、結像レンズ５４によって結像された反射光を電気信号に変換する光電変換素子５６と、備えている。
【００２１】
光電変換素子５６によって変換された電気信号は、画像処理装置（図示省略）で画像処理され画像形成に用いられるようになっている。また、フルレートミラー４８は、プラテンガラス４２に沿ってフルレートで移動し、ハーフレートミラー５２は、プラテンガラス４２に沿ってハーフレートで移動するようになっている。
【００２２】
〔主動作部〕
主動作部１４は、シート部材Ｐ上にトナー画像を形成する画像形成部６０と、画像形成部６０によって形成されたシート部材Ｐ上に形成されたトナー画像を熱と圧力によりシート部材Ｐに定着する定着装置１００と、を備えている。
【００２３】
［画像形成部］
画像形成部６０は、イエロー（Ｙ）、マゼンタ（Ｍ）、シアン（Ｃ）、及びブラック（Ｋ）の各トナーに対応した像保持体６２Ｋ、６２Ｃ、６２Ｍ、６２Ｙを備える画像形成ユニット６４Ｋ、６４Ｃ、６４Ｍ、６４Ｙと、像保持体６２Ｋ、６２Ｃ、６２Ｍ、６２Ｙの外周面に向けて光ビームＬを出射して露光を行う露光装置の一例としての露光ユニット６６Ｋ、６６Ｃ、６６Ｍ、６６Ｙと、画像形成ユニット６４Ｋ、６４Ｃ、６４Ｍ、６４Ｙで形成されたトナー画像をシート部材Ｐ上に転写する転写ユニット６８と、を含んで構成されている。
【００２４】
なお、以後の説明では、Ｙ、Ｍ、Ｃ、Ｋを区別する必要がある場合は、数字の後にＹ、Ｍ、Ｃ、Ｋのいずれかの英字を付して説明し、同様の構成でＹ、Ｍ、Ｃ、Ｋを区別する必要がない場合は、Ｙ、Ｍ、Ｃ、Ｋの記載を省略する。
【００２５】
［露光ユニット（画像形成部）］
露光ユニット６６は、光源７０から出射された光ビームＬを回転多面鏡（ポリゴンミラー：符号無し）で走査すると共に反射ミラーを含む複数の光学部品で反射して、各色のトナーに対応した光ビームＬを主走査方向（像保持体６２の軸方向）に走査しながら像保持体６２へ向けて出射する構成となっている。また、像保持体６２は、露光ユニット６６の鉛直方向の下側に配置されている。
【００２６】
なお、露光ユニット６６において、露光ユニット６６の筐体１１０の内部から外部に光ビームＬを透過させる透過部材の一例としての透過ガラス１１２等については、詳細を後述する。
【００２７】
［画像形成ユニット（画像形成部）］
図１３に示されるように、画像形成ユニット６４は、矢印＋Ｒ方向（図示の時計回り方向）に回転可能とされた円柱状の像保持体６２と、像保持体６２の外周面と対向して回転方向の上流側から下流側へ順に配置された帯電器７２、現像器７４、及びクリーニング部材７６と、を含んで構成されている。
【００２８】
そして、帯電器７２と現像器７４とは、像保持体６２の外周面で帯電器７２と現像器７４との間に光ビームＬが照射されるように配置されている。また、像保持体６２の外周面で現像器７４とクリーニング部材７６との間には、後述する転写体の一例としての中間転写ベルト８２が接触している。
【００２９】
像保持体６２は、モータ（図示省略）の駆動により矢印＋Ｒ方向に回転可能となっている。また、帯電器７２は、一例として、ワイヤに電圧を印加してコロナ放電により像保持体６２の外周面をトナーと同極性に帯電させるコロトロン方式の帯電手段で構成されている。ここで、帯電した像保持体６２の外周面に画像データに基づいて光ビームＬが照射されることで、潜像（静電潜像）が形成されるようになっている。
【００３０】
現像器７４は、一例として、磁性体からなるキャリア粒子とマイナスに帯電したトナーが混合された現像剤Ｇを収容しており、周方向に複数の磁極を有するマグネットロール（図示省略）が内側に設けられた円筒状の現像スリーブ７５が設けられている。そして、現像器７４は、現像スリーブ７５が回転することにより像保持体６２と対向する部位で磁気ブラシを形成する。さらに、現像器７４は、電圧印加手段（図示省略）によって現像スリーブ７５に現像バイアスが印加されることで、像保持体６２の外周面の潜像をトナーで顕在化させてトナー画像（現像剤像）を形成するようになっている。なお、各現像器７４には、画像形成部６０の上方に設けられた各トナーカートリッジ７９（図１４参照）からトナーが供給されるようになっている。
【００３１】
クリーニング部材７６は、像保持体６２の外周面と接触するクリーニングブレード７７を備えており、像保持体６２の外周面に残留したトナーをクリーニングブレード７７で掻き落として回収するようになっている。また、像保持体６２の回転方向で現像器７４よりも下流側には、現像器７４で現像されたトナー画像が一次転写される中間転写ベルト８２が設けられている。
【００３２】
［転写ユニット（画像形成部）］
図１４に示されるように、転写ユニット６８は、無端状の中間転写ベルト８２と、像保持体６２から中間転写ベルト８２上にトナー画像を一次転写させる一次転写部材の一例としての一次転写ロール８４と、中間転写ベルト８２上で順次重ねられたトナー画像をシート部材Ｐへ二次転写させる二次転写部材の一例としての二次転写ロール８６及び補助ロール８８と、を含んで構成されている。
【００３３】
また、中間転写ベルト８２の内側には、回転駆動される駆動ロール９２と、回転可能に備えられた複数の搬送ロール９４とが配置されている。そして、この中間転写ベルト８２は、一次転写ロール８４Ｋ、８４Ｃ、８４Ｍ、８４Ｙ、駆動ロール９２、搬送ロール９４、及び補助ロール８８に巻き掛けられている。これにより、中間転写ベルト８２は、駆動ロール９２が図示の反時計周りに回転すると、矢印Ｃ方向（図示の反対時計回り方向）に周回移動するようになっている。
【００３４】
一次転写ロール８４は、一例として、ステンレス鋼などの金属で構成された円柱状のシャフトの周囲に弾性層（図示省略）が形成された構成となっており、シャフトの両端部がベアリングで支持されることにより回転可能となっている。また、一次転写ロール８４は、電源（図示省略）からシャフトにトナーの極性とは逆極性の電圧（正の電圧）が印加されるようになっている。
【００３５】
二次転写ロール８６は、一例として、一次転写ロール８４と同様の構成となっており、搬送経路３０における位置合せロール３８の下流側に配置され回転可能に設けられている。また、二次転写ロール８６は、補助ロール８８とで中間転写ベルト８２を挟むように中間転写ベルト８２の外周面に二次転写位置で接触している。
【００３６】
そして、二次転写ロール８６は接地されている。また、補助ロール８８は、二次転写ロール８６の対向電極を形成しており、補助ロール８８の外周面に接触配置された金属製の給電ロール（図示省略）を介して二次転写電圧が印加されるようになっている。ここで、補助ロール８８に二次転写電圧（負の電圧）が印加され、補助ロール８８と二次転写ロール８６との間に電位差が生じることにより、二次転写ロール８６と中間転写ベルト８２との接触部に搬送されるシート部材Ｐ上に中間転写ベルト８２上のトナー画像が二次転写されるようになっている。
【００３７】
シート部材Ｐの移動方向で二次転写ロール８６よりも下流側には、トナー画像の二次転写が終了したシート部材Ｐを定着装置１００へ搬送する搬送ベルト９６が設けられている。搬送ベルト９６は、支持ロール９７と駆動ロール９８とに巻きかけられ、定着装置１００へシート部材Ｐを搬送するように周回移動するようになっている。
【００３８】
（全体構成の作用）
次に、本実施形態の作用について説明する。
【００３９】
シート部材Ｐに画像を形成する場合には、図１３に示されるように、各像保持体６２が帯電器７２によって帯電されると共に、画像データに応じて各露光ユニット６６（図１４参照）から出射された光ビームＬによって露光され、像保持体６２に静電潜像が形成される。
【００４０】
続いて、各像保持体６２の外周面に形成された静電潜像は、現像器７４によって、それぞれイエロー（Ｙ）、マゼンタ（Ｍ）、シアン（Ｃ）、黒（Ｋ）の各色のトナー画像として現像される。
【００４１】
続いて、各像保持体６２の表面に形成された各トナー画像は、一次転写位置で、各一次転写ロール８４によって中間転写ベルト８２上に順次、多重転写される。そして、中間転写ベルト８２上に多重転写されたトナー画像は、図１４に示されるように、二次転写位置で、搬送経路３０を搬送されてきたシート部材Ｐ上に二次転写ロール８６及び補助ロール８８によって二次転写される。
【００４２】
続いて、トナー画像が転写されたシート部材Ｐは、搬送ベルト９６により定着装置１００に向けて搬送される。そして、定着装置１００では、シート部材Ｐ上のトナー画像が加熱、加圧されることで定着される。トナー画像が定着されたシート部材Ｐは、排紙部１３に排出される。このようにして、一連の画像形成工程が行われる。
【００４３】
なお、画像が形成されていない非画像面にトナー画像を形成する場合（両面画像形成の場合）は、定着装置１００で表面に画像定着を行った後、シート部材Ｐを両面搬送路３１に送り込んで裏面の画像形成及び定着を行う。
【００４４】
（要部構成）
次に、露光ユニット６６の筐体１１０の内部から外部に光ビームＬを透過させる透過ガラス１１２、この透過ガラス１２を支持する構成、この透過ガラス１１２を清掃する清掃部材１５０、及び露光ユニット６６を支持する支持部材の一例としての支持フレーム１９０等について説明する。なお、以下の説明では、前述した方向を用いて露光ユニット６６の形状等を説明する。
【００４５】
〔清掃部材〕
清掃部材１５０は、図１２に示されるように、長尺状の棒部１５２と、棒部１５２の一端側に成形された把持部１５４と、棒部１５２の他端側に取り付けられた清掃部１５６とを備えている。
【００４６】
装置幅方向において、清掃部１５６の寸法は、装透過ガラス１１２の寸法に対して長くされている（図９参照）。また、清掃部１５６は、棒部１５２と一体的に成形された板状のベース部１５８と、ベース部１５８に固定され、弾性材料（例えばスポンジ材）で形成された弾性部１６０と、ベース部１５８とで弾性部１６０を挟むように弾性部１６０に固定され、不織布で形成された拭取部１６２とを備えている。
【００４７】
ベース部１５８は、図９に示されるように、弾性部１６０が固定される固定部１５８Ａと、ベース部１５８の板厚方向から見て、固定部１５８Ａの外形より広がった基部１５８Ｂとを有している。具体的には、ベース部１５８の板厚方向から見て、基部１５８Ｂは矩形状とされ、固定部１５８Ａは、基部１５８Ｂより一回り小さい矩形状とされている（図２参照）。
【００４８】
そして、ベース部１５８の板厚方向から見て、固定部１５８Ａの外形と、弾性部１６０の外形とは同様の形状とされている。
【００４９】
〔露光ユニット〕
露光ユニット６６は、前述したように筐体１１０を備え、筐体１１０の下面１１０Ａから突出するように、図９に示されるように、筐体１１０の内部から外部に出射される光ビームＬが通過する通過孔１１８が形成されている。そして、通過孔１１８は、主走査方向（本実施形態では「装置奥行方向」と同一方向）に走査される光ビームＬが通過可能となるように、装置奥行方向に延びている。
【００５０】
さらに、筐体１１０の下面１１０Ａには、通過孔１１８を塞ぐと共に、露光ユニット６６の筐体１１０の内部から外部に光ビームＬを透過させる板状の透過ガラス１１２が下面１１０Ａに接触して配置されている。そして、この透過ガラス１１２は、図１、図１０に示されるように、鉛直方向の下側から見て、装置奥行方向（一方向の一例）に延びる矩形状とされている。
【００５１】
また、筐体の下面１１０Ａから突出するように、透過ガラス１１２を予め決められた位置に配置するためのリブ等が形成され、さらに、この透過ガラス１１２を筐体１１０に取り付ける固定具１７０、及び一側固定部材の一例としての固定具１７２が等取り付けられている。
【００５２】
[筐体の下面]
筐体１１０の下面１１０Ａから突出するように、図１に示されるように、装置奥行方向に延びる透過ガラス１１２の一方の側面と対向又は接触するリブ１１６と、装置奥行方向に延びる透過ガラス１１２の他方の側面と対向又は接触する案内部材の一例としてのリブ１１４とが形成されている。
【００５３】
また、図９に示されるように、リブ１１４の先端（下端）は、透過ガラス１１２の下側を向いた表面１１２Ａに対して、鉛直方向の下方に配置され、リブ１１６の先端（下端）は、表面１１２Ａに対して鉛直方向の上方に配置されている。なお、リブ１１４において装置奥行方向の手前側の端部は、図１に示されるように、透過ガラス１１２の装置奥行方向の手前側の端部まで達しておらず、後述するガイド板１８０の端面と装置奥行方向で対向するようになっている。
【００５４】
この構成において、透過ガラス１１２がリブ１１４とリブ１１６とに挟まれ、透過ガラス１１２をどちらか一方のリブに沿わせることで、透過ガラス１１２の装置幅方向（図中Ｘ方向）の位置が決められるようになっている。また、リブ１１４において透過ガラス１１２側の側面１１４Ａが、清掃部材１５０を装置奥行方向に移動させた際に、清掃部材１５０の清掃部１５６を案内するようになっている。
【００５５】
さらに、筐体１１０の下面１１０Ａかた突出するように、図１に示されるように、透過ガラス１１２の装置奥行方向の奥側（他側：図中右側）の端面と接触する接触部１２０が形成されている。この構成において、透過ガラス１１２の端面を接触部１２０に突き当てることで、透過ガラス１１２の装置奥行方向の位置が決められるようになっている。
【００５６】
また、筐体１１０の下面１１０Ａにおいて、リブ１１６を挟んでリブ１１４の反対側には、図９に示されるように、案内部材の一例としてのリブ１２２が形成されている。そして、このリブ１２２の先端（下端）は、リブ１１４と同様に、透過ガラス１１２の表面１１２Ａに対して、鉛直方向の下方に配置されている。
【００５７】
さらに、リブ１２２は、図１に示されるように、装置奥行方向の装置手前側（一側：図中左側）で清掃部材１５０の清掃部１５６を受け入れる受入部１２４と、受入部１２４の終端に始端が連結されて装置奥行方向に延びる第一直線部１２６と、を備えている。さらに、リブ１２２は、第一直線部１２６に対して装置奥行方向で離間すると共に第一直線部１２６に対してリブ１１４に近づき、装置奥行方向に延びる第二直線部１２８を備えている。また、リブ１２２は、第一直線部１２６の端部と第二直線部１２８の端部とを連結すると共に装置奥行方向に対して傾斜した傾斜部１３０を備えている。
【００５８】
この構成において、受入部１２４、第一直線部１２６、傾斜部１３０、及び第二直線部１２８において透過ガラス１１２側の側面１２４Ａ、１２６Ａ、１３０Ａ、１２８Ａが、清掃部材１５０を装置奥行方向に移動させた際に、清掃部材１５０の清掃部１５６を案内するようになっている。
【００５９】
さらに、筐体１１０の下面１１０Ａかた突出するように、リブ１２２の受入部１２４と装置幅方向で対向すると共に、受入部１２４とで間口を広げ、清掃部材１５０の清掃部１５６を受け入れるリブ１３２が形成されている。
【００６０】
また、筐体１１０の下面１１０Ａかた突出するように、リブ１２２の第二直線部１２８の側面１２８Ａから透過ガラス１１２における装置奥行方向の奥側の端部に向けて装置幅方向に延びるリブ１３４が形成されている。そして、このリブ１３４の先端（下端）は、リブ１２２と同様に、透過ガラス１１２の表面１１２Ａに対して、鉛直方向の下方に配置されている。この構成において、清掃部材１５０の清掃部１５６を装置奥行方向の手前側から奥側まで移動させると、清掃部１５６がリブ１３４の側面１３４Ａと接触してそれ以上の清掃部１５６の装置奥行方向の奥側への移動が規制されるようになっている。
【００６１】
なお、リブ１１４、リブ１２２、及びリブ１３２によって、装置奥行方向に移動する清掃部材１５０の清掃部１５６が案内される構成（工程）については、後述する要部構成の作用と共に説明する。
【００６２】
[固定具]
固定具１７０は、図１に示されるように、透過ガラス１１２の装置奥行方向の奥側を筐体１１０に固定するために用いられる。一方、固定具１７２は、透過ガラス１１２の装置奥行方向の手前側を筐体１１０に固定するために用いられる。
【００６３】
固定具１７０は、透過ガラス１１２に対して装置奥行方向の奥側に配置されている。そして、固定具１７０は、板ばねであり、透過ガラス１１２の表面１１２Ａに接触して透過ガラス１１２を筐体１１０に押し付ける一対の押付部１７０Ａと、一対の押付部１７０Ａの基端と接続されボルト１７８で筐体１１０に固定される基部１７０Ｂとを有している。
【００６４】
具体的には、押付部１７０Ａは、鉛直方向の下方から見て、透過ガラス１１２の表面１１２Ａの一部を覆っており、リブ１３４の側面１３４Ａと接触して移動が規制された清掃部１５６と接触しない位置に配置されている。
【００６５】
これに対して、固定具１７２は、透過ガラス１１２の装置奥行方向の手前側の部位に対して、装置幅方向に並んで配置されている。そして、固定具１７２は、板ばねであり、図８（Ａ）（Ｂ）に示されるように、透過ガラス１１２の表面１１２Ａに接触して透過ガラス１１２を筐体１１０に押し付ける押付部１７２Ａ（先端部の一例）と、押付部１７０Ａの基端と接続されボルト１８６で筐体１１０に固定される基端部１７２Ｂとを有している。
【００６６】
具体的には、押付部１７２Ａは、鉛直方向の下方から見て、透過ガラス１１２の表面１１２Ａの一部を覆っており（図１参照）、表面１１２Ｂに対して鉛直方向の下方へ突出している。また、基端部１７２Ｂは、筐体１１０の下面１１０Ａに形成された固定台１４６にボルト１８６で固定されるようになっている。そして、基端部１７２Ｂには、固定台１４６に形成された２個のピン１４８が嵌る２個の位置決め孔１７４と、ボルト１８６が通る取付孔１７６とが形成されている。
【００６７】
[その他]
案内部材の一例としてのガイド板１８０は、固定具１７２に鉛直方向の下側から重ねられ、固定具１７２と伴にボルト１８６によって固定台１４６に固定されるようになっている。そして、このガイド板１８０は、透過ガラス１１２の表面１１２Ａに対して鉛直方向の下方に配置されている。
【００６８】
具体的には、ガイド板１８０には、固定台１４６に形成された２個のピン１４８が嵌る２個の位置決め孔１８２と、ボルト１８６が通る取付孔１８４とが形成されている。
【００６９】
さらに、ガイド板１８０の一部が、図１に示されるように、鉛直方向の下側から見て透過ガラス１１２の表面１１２Ａと重なっており、固定具１７２の押付部１７２Ａを覆っている。そして、ガイド板１８０において透過ガラス１１２の表面１１２Ａと重なった部位には、装置奥行方向に延びる直線端面１８０Ａと、直線端面１８０Ａの端部からリブ１１４の端部に向け、装置奥行方向に対して傾斜する方向に延びる傾斜端面１８０Ｂとが形成されている。そして、直線端面１８０Ａは、第一直線部１２６の側面１２６Ａと対向し、傾斜端面１８０Ｂは、傾斜端面１８０Ｂと対向している。
【００７０】
この構成において、ガイド板１８０の直線端面１８０Ａ及び傾斜端面１８０Ｂが、清掃部材１５０を装置奥行方向に移動させた際に、清掃部材１５０の清掃部１５６を案内するようになっている。
【００７１】
なお、ガイド板１８０の直線端面１８０Ａ及び傾斜端面１８０Ｂによって、装置奥行方向に移動する清掃部材１５０の清掃部１５６が案内される構成（工程）については、後述する要部構成の作用と共に説明する。
【００７２】
〔支持フレーム〕
支持フレーム１９０は、画像形成装置１０の装置本体１０Ａの一部を構成し、各色の露光ユニット６６毎に備えられ、露光ユニット６６を支持するようになっている。
【００７３】
支持フレーム１９０は、図１１（Ａ）（Ｂ）に示されるように、板金を折り曲げて形成され、露光ユニット６６の筐体１１０を鉛直方向の下側から支持するように配置されている。そして、図示せぬ固定部材を用いて、露光ユニット６６が支持フレーム１９０に取り付けられるようになっている。
【００７４】
また、支持フレーム１９０には、図９に示されるように、筐体１１０の下面１１０Ａと鉛直方向で対向する押付面の一例としの対向面１９２が形成されている。さらに、この対向面１９２には、露光ユニット６６から出射された光ビームＬが通る貫通孔１９４が形成されている。
【００７５】
この構成において、装置奥行方向に移動する清掃部材１５０の清掃部１５６が対向面１９２に押される（挟まれる）ことで、弾性部１６０が変形して清掃部材１５０の拭取部１６２が透過ガラス１１２の表面１１２Ａに押し付けられるようになっている。
【００７６】
（要部構成の作用）
次に、要部構成の作用について、画像形成装置１０の装置本体１０Ａ内に配置された図示せぬファンによって生じた風により舞い上がって透過ガラス１１２の表面１１２Ａに付着した異物等を、清掃部材１５０を用いて透過ガラス１１２から除去して清掃する清掃作業で説明する。具体的には、透過ガラス１１２の表面１１２Ａにおいて光ビームＬが透過する部分（図示省略）を清掃する清掃作業について説明する。
【００７７】
先ず、作業者が、画像形成装置１０の正面に配置された図示せぬメンテナンスドアを開放し、図１１（Ａ）（Ｂ）に示されるように、清掃部材１５０の把持部１５４を把持して清掃部１５６の拭取部１６２が透過ガラス１１２の表面１１２Ａ（図９参照）に接触するように、清掃部材１５０の清掃部１５６を、受入部１２４とリブ１３２との間に挿入する。
【００７８】
受入部１２４とリブ１３２との間に挿入された清掃部１５６は、図２、図３に示されるように、受入部１２４とリブ１３２とによって、直線端面１８０Ａと第一直線部１２６との間に案内される。具体的には、清掃部１５６のベース部１５８における固定部１５８Ａの側面（図９参照）が、リブ１３２の側面１３２Ａ又は受入部１２４の側面１２４Ａと接触して、清掃部１５６が直線端面１８０Ａと第一直線部１２６との間に案内される。
【００７９】
さらに、清掃部１５６を装置奥行方方向の奥側に移動させると、清掃部１５６は、図３、図４に示されるように、第一直線部１２６に案内され装置奥行方向の奥側に移動する。具体的には、清掃部１５６のベース部１５８における固定部１５８Ａの側面（図９参照）が、第一直線部１２６の側面１２６Ａと接触しながら、清掃部１５６が装置奥行方向の奥側に移動する。
【００８０】
ここで、装置奥行方向に移動する清掃部材１５０のベース部１５８が対向面１９２に押されて弾性部１６０が変形し、清掃部材１５０の拭取部１６２が透過ガラス１１２の表面１１２Ａに押し付けられている（図９参照）。
【００８１】
また、第一直線部１２６の側面１２６Ａと接触しながら移動する清掃部１５６が、装置幅方向に移動して固定具１７２の押付部１７２Ａに接触しそうになると、清掃部１５６のベース部１５８における固定部１５８Ａの側面が、ガイド板１８０の直線端面１８０Ａと接触して清掃部１５６が押付部１７２Ａに接触するのが抑制される。
【００８２】
さらに、清掃部１５６を装置奥行方向の奥側に移動させると、清掃部１５６は、図４、図５に示されるように、傾斜部１３０に案内され、進行方向を装置幅方向（透過ガラス１１２の幅方向）に変えながら装置奥行方向の奥側に移動する。さらに、進行方向が変えられた後は、清掃部１５６は、第二直線部１２８とリブ１１４とに案内されて装置奥行方向の奥側に移動する。
【００８３】
具体的には、清掃部１５６のベース部１５８における固定部１５８Ａの側面が傾斜部１３０の側面１３０Ａと接触しながら清掃部１５６が移動することで、清掃部１５６の進行方向が装置幅方向に変えられる。さらに、装置幅方向において、透過ガラス１１２の表面１１２Ａに、全体的に清掃部１５６の拭取部１６２が接触すると、図９に示されるように、清掃部１５６のベース部１５８における固定部１５８Ａの側面が、第二直線部１２８の側面１２８Ａ又はリブ１１４の側面１１４Ａと接触しながら、清掃部１５６が装置奥行方向の奥側に移動する。
【００８４】
さらに、清掃部１５６を装置奥行方向の奥側に移動させると、清掃部１５６は、図５、図６、図７に示されるように、第二直線部１２８とリブ１１４とに案内されて装置奥行方向の奥側に移動してリブ１３４の側面１３４Ａと接触し、清掃部１５６の装置奥行方向の奥側への移動が規制される。
【００８５】
具体的には、清掃部１５６のベース部１５８における固定部１５８Ａの側面が、リブ１２８の側面１２８Ａ又はリブ１１４の側面１１４Ａと接触しながら、清掃部１５６が装置奥行方向に移動する。さらに、清掃部１５６のベース部１５８における固定部１５８Ａの側面が、リブ１３４の側面１３４Ａと接触し、清掃部１５６の装置奥行方向の奥側への移動が規制される。
【００８６】
これに対して、装置奥行方向の奥側への移動が規制された清掃部１５６を装置奥行方向の手前側に移動させると、清掃部１５６が傾斜部１３０ではなくガイド板１８０の傾斜端面１８０Ｂ、及び直線端面１８０Ａに案内され進行方向を変える点以外は、前述した工程と逆の工程により、清掃部材１５０が、筐体１１０の下面１１０Ａから引き抜かれる。
【００８７】
具体的には、清掃部１５６のベース部１５８における固定部１５８Ａの側面が傾斜端面１８０Ｂと接触しながら清掃部１５６が移動することで、清掃部１５６の進行方向が装置幅方向に変えられる。さらに、清掃部１５６のベース部１５８における固定部１５８Ａの側面が直線端面１８０Ａと接触しながら清掃部１５６が装置奥行方向の手前側に移動する（図３参照）。
【００８８】
このようにして、清掃部１５６が移動することで、透過ガラス１１２の表面１１２Ａが清掃される。
【００８９】
（まとめ）
以上説明したように、透過ガラス１１２が筐体１１０の下面１１０Ａに取り付けられ、押付部１７２Ａが、透過ガラス１１２の表面１１２Ａの一部を覆っている際にも、進行方向を装置幅方向に変えながら清掃部１５６を装置奥行方向に移動させることで、透過ガラス１１２の表面が清掃される。
【００９０】
また、透過ガラスの幅方向に大型化して、大型化した部位の透過ガラスの表面を筐体１１０の下面に押し付けることで透過ガラスを筐体に取り付ける場合と比して、進行方向を装置幅方向に変えながら清掃部１５６を装置奥行方向に移動させることで、透過ガラス１１２が透過ガラス１１２の幅方向に大型化するのを抑制した上で、透過ガラス１１２の表面が清掃される。
【００９１】
また、固定具１７２が板ばねであるため、透過ガラス１１２が筐体１１０の下面１１０Ａに容易に押し付けられる。
【００９２】
また、透過ガラス１１２の裏面と筐体１１０との間に接着剤を塗布することなく、透過ガラス１１２を筐体１１０に取り付けている。このため、透過ガラス１１２の板厚方向における透過ガラス１１２の位置ずれが抑制される。
【００９３】
また、前述したように、装置奥行方向に移動する清掃部材１５０のベース部１５８が対向面１９２に押されて、清掃部材１５０の拭取部１６２が透過ガラス１１２の表面１１２Ａに押し付けられる。このため、透過ガラス１１２の表面１１２Ａが効果的に清掃される。
【００９４】
＜第２実施形態＞
次に、本発明の第２実施形態に係る露光装置、及び画像形成装置の一例について図１５に従って説明する。なお、第１実施形態と同一部材については、同一符号を付してその説明を省略し、第１実施形態と異なる部分を主に説明する。
【００９５】
第２実施形態では、透過ガラス１１２の装置奥行方向の手前側を筐体１１０に取り付ける板ばねは備えられておらず、図１５（Ｃ）に示されるように、一側固定部材の一例としての接着剤２００によって、透過ガラス１１２の装置奥行方向の手前側が筐体１１０に取り付けられている。
【００９６】
具体的には、リブ１１４の装置奥行方向の手前側には、図１５（Ａ）に示されるように、先端の高さが透過ガラス１１２の表面１１２Ａと同様とされたリブ２０２が連結されている。さらに、リブ２０２には、Ｕ字状の切欠き部２０２Ａが形成され、図１５（Ｂ）に示されるように、この切欠き部２０２Ａに接着剤２００が塗布され、接着剤２００の一部が、透過ガラス１１２の表面１１２Ａの一部を覆うようになっている。これにより、透過ガラス１１２の装置奥行方向の手前側が筐体１１０に取り付けられている。なお、第２実施形態の作用については、第１実施形態で固定具１７２が奏した作用以外の作用と同様である。
【００９７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、特に説明しなかったが、清掃部材１５０を収納する収納スペースを装置本体１０Ａ内に備えてもよい。
【００９８】
また、上記実施形態では、光ビームＬを透過させる透過部材の一例として透過ガラス１１２を用いて説明したが、例えば、ポリカーボネート樹脂やアクリル樹脂等の透明な樹脂材料を用いて透過部材を成形してもよい。
【００９９】
また、上記実施形態では、特に説明しなかったが、清掃部材１５６の清掃部１５０を筐体１１０の下面１１０Ａと対向面１９２との間に差し込む際に、徐々に弾性部１６０を圧縮させるように、下面１１０Ａ又は対向面１９２にスロープ（傾斜）を設けてもよい。
【符号の説明】
【０１００】
１０        画像形成装置
６２        像保持体
６６        露光ユニット（露光装置の一例）
７０        光源
７４        現像器（現像装置の一例）
１１０      筐体
１１２      透過ガラス（透過部材の一例）
１１２Ａ    表面
１２２      リブ（案内部材の一例）
１３２      リブ（案内部材の一例）
１５０      清掃部材
１７２      固定具（一側固定部材の一例）
１７２Ａ    押付部（先端部の一例）
１７２Ｂ    基端部
１８０      ガイド板（案内部材の一例）
１９０      支持フレーム（支持部材の一例）
１９２      対向面（押付面の一例）
２００      接着剤（一側固定部材の一例）
【図１】
2015022019.tif 000003
【図２】
2015022019.tif 000004
【図３】
2015022019.tif 000005
【図４】
2015022019.tif 000006
【図５】
2015022019.tif 000007
【図６】
2015022019.tif 000008
【図７】
2015022019.tif 000009
【図８】
2015022019.tif 000010
【図９】
2015022019.tif 000011
【図１０】
2015022019.tif 000012
【図１１】
2015022019.tif 000013
【図１２】
2015022019.tif 000014
【図１３】
2015022019.tif 000015
【図１４】
2015022019.tif 000016
【図１５】
2015022019.tif 000017